(57)【要約】【課題】表示部を有しているにも係わらず、小型で薄型な電子機器を提供すること。【解決手段】電子機器としてのパーソナルコンピューターであるノートＰＣ１０００は、シート状の表示部１００と、筐体としての本体１３１と、本体１３１の第１の面としての上面１３１ａに設けられた入力部と、上面１３１ａとは異なる第２の面としての側面１３１ｂに開口部１３５ａを有すると共に上面１３１ａと重なる位置において本体１３１の内部に設けられた収納部１３５とを有し、表示部１００は、開口部１３５ａを経由して収納部１３５に収納される。【選択図】図１
2011018097.tif 000002
【特許請求の範囲】
【請求項１】
シート状の表示部と、
筐体と、
前記筐体の第１の面に設けられた入力部と、
前記第１の面とは異なる第２の面に開口部を有すると共に前記第１の面と重なる位置において前記筐体の内部に設けられた収納部とを有し、
前記表示部は、前記開口部を経由して前記収納部に収納されることを特徴とする電子機器。
【請求項２】
前記表示部は、第１の表示部と、第２の表示部とを有し、
前記第１の表示部と前記第２の表示部は、互いに重なり合って前記収納部に収納されていることを特徴とする請求項１に記載の電子機器。
【請求項３】
前記第１の表示部と前記第２の表示部は、互いに重なり合わないように前記収納部に収納されていることを特徴とする請求項１に記載の電子機器。
【請求項４】
前記第１の表示部と前記第２の表示部は、同一の駆動方式が採用されていることを特徴とする請求項１乃至３のいずれか一項に記載の電子機器。
【請求項５】
前記第１の表示部と前記第２の表示部は、異なる駆動方式が採用されていることを特徴とする請求項１乃至３のいずれか一項に記載の電子機器。
【請求項６】
前記第１の表示部と前記第２の表示部のうちの少なくともどちらか一方は、カラー表示が可能であることを特徴とする請求項４または５に記載の電子機器。
【請求項７】
前記カラー表示が可能な前記第１の表示部もしくは前記第２の表示部は、有機エレクトロルミネッセンスパネルであることを特徴とする請求項６に記載の電子機器。
【請求項８】
シート状の可撓性を有する表示部と、
筐体と、
前記筐体の第１の面に設けられた入力部と、
前記第１の面とは異なる第２の面に開口部を有すると共に前記第１の面と重なる位置において前記筐体の内部に設けられた収納部とを有し、
前記表示部は、前記開口部を経由して前記収納部に収納されることを特徴とする電子機器。
【請求項９】
前記表示部は、折り畳まれて前記収納部に収納されることを特徴とする請求項８に記載の電子機器。
【請求項１０】
前記筐体は、少なくとも２つに折り曲げられる折り畳み機構を備え、
前記収納部に収納された前記表示部は、前記折り畳み機構に沿って曲げられることを特徴とする請求項８に記載の電子機器。
【請求項１１】
前記折り畳み機構は、曲率半径が４ｍｍ以上で前記収納部が曲がるように前記筐体に設けられていることを特徴とする請求項１０に記載の電子機器。
【請求項１２】
前記筐体は、前記第１の面と対向する第３の面を有し、前記第１の面が内側になるように前記折り畳み機構により折り曲げられ、
前記第３の面には、前記表示部の少なくとも１部が開口する少なくとも１つの開口部を備えていることを特徴とする請求項１０または１１に記載の電子機器。
【請求項１３】
前記表示部は、有機エレクトロルミネッセンスパネルであることを特徴とする請求項８乃至１２のいずれか一項に記載の電子機器。
【請求項１４】
前記入力部がキーボードであることを特徴とする請求項１乃至１３のいずれか一項に記載の電子機器。
【発明の詳細な説明】
【技術分野】
【０００１】
本発明は、表示部を備えた電子機器に関する。
【背景技術】
【０００２】
上記電子機器としては、キーボード部材の下面に座標入力位置検出タブレットが収納可能に構成され、押されたキーの位置を検出できると共に、座標入力位置検出タブレットが表示装置の表示面を覆うように配置することも可能な携帯コンピューターが知られている（特許文献１）。
【０００３】
また、折り畳み可能な薄型キーボードやフラット入力装置を採用して小型化を図ったり、ディスプレイを分割し重ねて収納する一方で使用するときには繋ぎ合わせて表示面を拡大可能とする、入力装置やディスプレイ（表示装置）を備えた情報処理装置の提案がなされている（特許文献２）。
【先行技術文献】
【特許文献】
【０００４】
【特許文献１】特開平６−２０８４２５号公報
【特許文献２】特開２００１−７５９３８号公報  頁６  段落［００５１］、段落［００５２］
【発明の概要】
【発明が解決しようとする課題】
【０００５】
上記特許文献２の情報処理装置では、分割可能である一方で再繋ぎ合わせ可能なディスプレイについてより具体的な内容が開示されているわけではない。携帯型情報端末機器の分野では、さらに小型化、薄型化が求められているという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例の電子機器は、シート状の表示部と、筐体と、前記筐体の第１の面に設けられた入力部と、前記第１の面とは異なる第２の面に開口部を有すると共に前記第１の面と重なる位置において前記筐体の内部に設けられた収納部とを有し、前記表示部は、前記開口部を経由して前記収納部に収納されることを特徴とする。
【０００８】
この構成によれば、表示部を使用しないときには収納部に納め、表示部を使用するときには収納部から引き出して使う平面的に小型な電子機器を提供することができる。
【０００９】
［適用例２］上記適用例の電子機器において、前記表示部は、第１の表示部と、第２の表示部とを有し、前記第１の表示部と前記第２の表示部は、互いに重なり合って前記収納部に収納されているとしてもよい。
この構成によれば、複数の表示部に例えばそれぞれ異なった画像や文字などの情報を表示させ、確認したい情報が表示された表示部だけ収納部から引き出して使うといった新たな使用状態を提案できる。
【００１０】
［適用例３］上記適用例の電子機器において、前記第１の表示部と前記第２の表示部は、互いに重なり合わないように前記収納部に収納されているとしてもよい。
この構成によれば、複数の表示部に例えばそれぞれ異なった画像や文字などの情報を表示させ、複数の表示部を並べて見比べながら使うといった新たな使用状態を提案できる。
【００１１】
［適用例４］上記適用例の電子機器において、前記第１の表示部と前記第２の表示部は、同一の駆動方式が採用されているとしてもよい。
この構成によれば、複数の表示部を駆動させるための駆動回路の少なくとも一部を共有することができるので、複数の表示部を設けても駆動回路の構成を簡略化できる。
【００１２】
［適用例５］上記適用例の電子機器において、前記第１の表示部と前記第２の表示部は、異なる駆動方式が採用されているとしてもよい。
この構成によれば、複数の表示部を駆動するための駆動回路の構成が複雑になることが考えられるも、一方の表示部を受光型にして例えば文字情報を表示し、他方の表示部を自発光型にして動画などの応答速度が要求される画像情報を表示する、といった視認性を優先した表示部の使用状態を提案できる。
【００１３】
［適用例６］上記適用例の電子機器において、前記第１の表示部と前記第２の表示部とのうちの少なくともどちらか一方は、カラー表示が可能であることが好ましい。
この構成によれば、実際の色を再現した画像情報を表示することができる小型な電子機器を提供できる。
【００１４】
［適用例７］上記適用例の電子機器において、前記カラー表示が可能な前記第１の表示部もしくは前記第２の表示部は、有機エレクトロルミネッセンスパネルであることが好ましい。
この構成によれば、自発光型の有機エレクトロルミネッセンスパネルを用いることによって、例えば照明装置が必要な受光型の表示パネルに比べて、表示部の厚みを薄くすることができる。それゆえに、筐体の厚みを薄くして、表示機能を有すると共に薄型な電子機器を提供できる。
【００１５】
［適用例８］本適用例の他の電子機器は、シート状の可撓性を有する表示部と、筐体と、前記筐体の第１の面に設けられた入力部と、前記第１の面とは異なる第２の面に開口部を有すると共に前記第１の面と重なる位置において前記筐体の内部に設けられた収納部とを有し、前記表示部は、前記開口部を経由して前記収納部に収納されることを特徴とする。
【００１６】
この構成によれば、表示部は可撓性を有するほどに厚みが薄いシート状であって、表示部を使用しないときには収納部に納め、表示部を使用するときには収納部から引き出して使う平面的に小型で且つ薄型な電子機器を提供することができる。
【００１７】
［適用例９］上記適用例の他の電子機器において、前記表示部は、折り畳まれて前記収納部に収納されるとしてもよい。
この構成によれば、表示部を使用するときには収納部から引き出すと共に、折り畳まれた状態を元に戻して使用する。言い換えれば、筐体の平面積よりも大きな表示面を有する表示部を採用することができる。すなわち、平面的に入力部の大きさよりも大きな表示部を備えていても小型な電子機器を提供することができる。
【００１８】
［適用例１０］上記適用例の他の電子機器において、前記筐体は、少なくとも２つに折り曲げられる折り畳み機構を備え、前記収納部に収納された前記表示部は、前記折り畳み機構に沿って曲げられることを特徴とする。
この構成によれば、表示部は可撓性を有しており、筐体を折り畳み構造としても収納部に収納することができる。すなわち、表示部を備えていてもより小型な電子機器を提供することができる。
【００１９】
［適用例１１］上記適用例の他の電子機器において、前記折り畳み機構は、曲率半径が４ｍｍ以上で前記収納部が曲がるように前記筐体に設けられていることが好ましい。
この構成によれば、収納部に表示部を収納した状態で折り畳み機構により筐体を折り畳んでも、表示部に不具合が生じない程度の曲率で折り曲げられるので、表示部が損傷することを防止できる。
【００２０】
［適用例１２］上記適用例の他の電子機器において、前記筐体は、前記第１の面と対向する第３の面を有し、前記第１の面が内側になるように前記折り畳み機構により折り曲げられ、前記第３の面には、前記表示部の少なくとも１部が開口する少なくとも１つの開口部を備えているとしてもよい。
この構成によれば、わざわざ、筐体を折り畳んだ状態から広げる必要がなく開口部を介して表示部に表示された情報の少なくとも一部を確認できる。
【００２１】
［適用例１３］上記適用例の他の電子機器において、前記表示部は、有機エレクトロルミネッセンスパネルであることが好ましい。
この構成によれば、自発光型の有機エレクトロルミネッセンスパネルを用いることにより、例えば照明装置が必要な受光型の表示パネルに比べて、より薄型の電子機器を実現することができる。
【００２２】
［適用例１４］上記適用例の電子機器において、前記入力部がキーボードであるとしてもよい。
この構成によれば、小型であるにも係わらず様々な情報を手軽に入力できる電子機器を提供できる。
【図面の簡単な説明】
【００２３】
【図１】（ａ）は第１実施形態の電子機器としてのパーソナルコンピューターを示す斜視図、（ｂ）は（ａ）のＡ−Ａ'線で切った概略断面図。
【図２】表示部の構成を示す概略平面図。
【図３】表示部の構造を示す概略断面図。
【図４】（ａ）はパーソナルコンピューターの底面側の構成を示す概略斜視図、（ｂ）はパーソナルコンピューターの使用時の状態を示す概略側面図。
【図５】（ａ）は第２実施形態の電子機器としてのパーソナルコンピューターを示す概略斜視図、（ｂ）は（ａ）の概略断面図。
【図６】第３実施形態の電子機器としてのパーソナルコンピューターを示す概略斜視図。
【図７】他方の表示部を示す概略平面図。
【図８】図７のＣ−Ｃ'線で切った他方の表示部の構造を示す概略断面図。
【図９】（ａ）は第４実施形態の電子機器としてのパーソナルコンピューターを示す概略斜視図、同図（ｂ）は概略断面図。
【図１０】第５実施形態の電子機器としてのパーソナルコンピューターを示す概略斜視図。
【図１１】（ａ）は第６実施形態の電子機器としてのパーソナルコンピューターを示す概略斜視図、（ｂ）は折り畳まれた状態のパーソナルコンピューターを示す概略斜視図、（ｃ）は（ｂ）のＤ−Ｄ'線で切った概略断面図。
【図１２】第７実施形態の電子機器としてのパーソナルコンピューターを示す概略斜視図。
【図１３】変形例の表示部を示す概略平面図。
【図１４】図１３のＥ−Ｅ'線で切った概略断面図。
【図１５】変形例の電子機器としての携帯型電話機を示す概略斜視図。
【発明を実施するための形態】
【００２４】
以下、本発明を具体化した実施形態について図面に従って説明する。なお、使用する図面は、説明する部分が認識可能な状態となるように、適宜拡大または縮小して表示している。
【００２５】
（第１実施形態）
本実施形態の電子機器としてパーソナルコンピューターを例に挙げ、図１〜図４を参照して説明する。図１（ａ）は第１実施形態の電子機器としてのパーソナルコンピューターを示す斜視図、同図（ｂ）は同図（ａ）のＡ−Ａ'線で切った概略断面図、図２は表示部の構成を示す概略平面図、図３は表示部の構造を示す概略断面図、図４（ａ）はパーソナルコンピューターの底面側の構成を示す概略斜視図、同図（ｂ）はパーソナルコンピューターの使用時の状態を示す概略側面図である。
【００２６】
図１（ａ）に示すように、本実施形態の電子機器としてのパーソナルコンピューター１０００は、携帯可能な所謂ノート型の情報処理装置（コンピューター）である。したがって、パーソナルコンピューター１０００につき、以降、説明上、ノートＰＣ１０００と呼ぶことにする。
【００２７】
ノートＰＣ１０００は、キーボード１３２やマウスパッド１３３などの入力部が第１の面としての上面１３１ａに設けられた筐体としての本体１３１と、シート状の表示部１００とを備えている。本体１３１の手前側の側面１３１ｄには、中央より右側寄りの場所に電源スイッチ（電源ＳＷ）１３４が設けられている。
キーボード１３２は、特定の機能を発揮させるための機能キー１３２ａが配列した部分と、文字や数字等の入力キー１３２ｂが配列した部分とを有する。
【００２８】
図１（ｂ）に示すように、本体１３１において、キーボード１３２やマウスパッド１３３などの入力部が設けられた上面１３１ａの下層（本体１３１の内部）には、ＣＰＵやメモリーなどの情報処理機能や表示部１００の表示制御部などを備えた回路基板としてのメインボード１３６が設けられている。また、メインボード１３６の下層には、表示部１００が収納される収納部１３５が設けられ、さらに、その下層には電源部１３７やメディア部１３８が設けられている。
【００２９】
収納部１３５は、上記側面１３１ｄと対向する第２の面としての側面１３１ｂ側にスリット状の開口部１３５ａを有し、表示部１００が開口部１３５ａを経由してメインボード１３６に沿って収納される空間となっている。言い換えれば、上面１３１ａと重なる位置において本体１３１の内部に設けられている。
表示部１００は、表示領域１１０ａ（ときには表示面１１０ａと呼ぶこともある）を上方に向けて収納部１３５に収納されると共に、中継基板１２０Ａと中継ケーブル１２１とを介してメインボード１３６に接続されている。中継ケーブル１２１は、表示部１００を収納部１３５から引き出して使用できる長さを有していると共に、伸縮可能な状態で収納部１３５内に設けられている。
収納部１３５の開口部１３５ａと反対側の端部には、表示部１００が収納されたときに、これを付勢して開口部１３５ａ側に押し出す、例えばバネなどの弾性部材１３９が設けられている。
収納部１３５には、収納された表示部１００が弾性部材１３９を圧縮した状態で一旦保持され、表示部１００に対して再び弾性部材１３９を圧縮する方向に力を加えることよって、収納時の保持状態が解除される、出し入れ機構（図示省略）が設けられている。
【００３０】
電源部１３７は、例えばリチウムイオン二次電池であり、本体１３１の底面１３１ｃ側から着脱可能な状態で取り付けられている。
【００３１】
メディア部１３８は、例えば、ハードディスクドライブ（ＨＤＤ）や光ディスクドライブである。
【００３２】
図２に示すように、表示部１００は、外形が四角形の表示パネル１１０を内包している。表示パネル１１０は、Ｒ（赤）、Ｇ（緑）、Ｂ（青）、３色の色表示が可能な複数の画素１５が設けられた表示領域１１０ａを有している。複数の画素１５は、表示領域１１０ａにおいて３色のうち同色の画素１５が短辺に沿った方向に配列した所謂ストライプ状の配列となっている。なお、画素１５の配列はこれに限定されるものではない。
【００３３】
表示パネル１１０の長辺に沿って設けられた端子部１０ａには、表示パネル１１０を駆動制御する表示制御部（メインボード１３６に設けられている）との電気的な接続を図るべく、複数（３つ）の中継基板１２０Ａ，１２０Ｂ，１２０Ｃが実装されている。中継基板１２０Ａ，１２０Ｂ，１２０Ｃは、例えばフレキシブル回路基板（ＦＰＣ）であって、その表面に表示パネル１１０を駆動する駆動回路の一部を構成する例えばドライバーＩＣなどの電子部品を実装したものも採用することができる。
【００３４】
図３に示すように、表示部１００は、表示パネル１１０が樹脂フィルム４０Ａと樹脂フィルム４０Ｂとの間に挟まれてラミネートされた構造となっている。
【００３５】
表示パネル１１０は、画素１５ごとに設けられた発光素子としての有機エレクトロルミネッセンス素子１１（以降、有機ＥＬ素子１１と呼ぶ）を有する素子基板１０と、同じく画素１５ごとに対応して設けられた着色層を具備するカラーフィルター２１を有する封止基板２０とを、可視光透過性を有する封止樹脂３５を介してシール材３０により接合したものである。有機ＥＬ素子１１は白色光を発するものであり、白色光がカラーフィルター２１を透過して封止基板２０側から射出することにより、カラー表示を可能とする所謂トップエミッション構造となっている。
【００３６】
素子基板１０には、画素１５ごとの有機ＥＬ素子１１を駆動するため駆動回路（図示省略）が設けられており、有機ＥＬ素子１１は駆動回路上に形成されている。駆動回路は薄膜トランジスターなどのスイッチング素子やこれに繋がる配線等を含むものであって、公知の構成を採用することができる。
【００３７】
このように発光素子を有する自発光型の表示パネル１１０において、素子基板１０は透明なガラスや樹脂などの基板や、不透明なシリコンやセラミックなどの基板を用いることができる。一方、有機ＥＬ素子１１からの発光が取り出される側の封止基板２０は透明なガラスや樹脂などの基板を用いる。
【００３８】
本実施形態では、素子基板１０および封止基板２０ともに透明なガラス基板が用いられており、素子基板１０と封止基板２０とを接合した後に、その表面を機械的または化学的な研磨を施すことにより、それぞれの基板の厚みを薄くする加工が施されている。例えば、それぞれの基板の元の厚みは、およそ０．５ｍｍであり、接合後の厚みはおよそ１．０ｍｍである。そして、総厚がおよそ３００μｍ以下となるように薄型化加工（例えばＣＭＰ処理）されている。したがって、表示パネル１１０自体がある程度の可撓性を有する構成となっている。
それゆえに、表示パネル１１０自体では、外部からの衝撃に対して弱い、また衝撃で破損したときの飛散を防ぐ必要がある。また発光素子として有機ＥＬ素子１１を用いているので密封構造とすることで外部からの水分等の浸入を防ぎより長い発光寿命を確保したいなどの理由から、同じく可撓性を有する樹脂フィルム４０Ａ，４０Ｂでラミネートしている。
【００３９】
ラミネートに用いられる樹脂フィルム４０Ａは、ガス透過性が低い透明な基材フィルム４１Ａの一方の表面に接着剤を均一に塗布して形成された接着層４２Ａを有する。同様に樹脂フィルム４０Ｂは、ガス透過性が低い透明な基材フィルム４１Ｂの一方の表面に透明な接着剤を均一に塗布して形成された接着層４２Ｂを有する。
基材フィルム４１Ａ，４１Ｂとしては、例えばＰＥＴ（ポリエチレンテレフタレート）やＰＥＮ（ポリエチレンナフタレート）などのポリエステル、ＰＥＳ（ポリエーテルスルホン）、ＰＣ（ポリカーボネート）、ＰＥ（ポリエチレン）などの樹脂からなるフィルムが挙げられる。その厚みは、およそ５０μｍ程度である。
接着剤は、例えば熱硬化型のエポキシ樹脂を用いることができる。接着層４２Ａ，４２Ｂの厚みはそれぞれおよそ２０μｍ程度である。また、粘着性を有する粘着剤としてもよい。粘着剤を用いればリペア性を実現できる。
【００４０】
接着層４２Ａ，４２Ｂが相対するように表示パネル１１０を挟んで２つの樹脂フィルム４０Ａ，４０Ｂによりラミネートする。また、有機ＥＬ素子１１の防湿性、言い換えれば封止性を確保するために、ラミネート時に表示パネル１１０の周辺に発生するおそれがある空間４３，４４を封止樹脂により埋めた構造となっている。すなわち、封止樹脂と一緒に表示パネル１１０を挟んでラミネートしており、はみ出した封止樹脂の一部４５が樹脂フィルム４０Ａ，４０Ｂの端面に盛り上がった状態となっている。該封止樹脂は、透明でなくてもよい。
【００４１】
素子基板１０の端子部１０ａには、異方性導電膜（ＡＣＦ）７Ａを用いて中継基板１２０Ａが実装されている。中継基板１２０Ａの接続部を除く表面は絶縁性を有する例えばポリイミドやソルダーレジストなどの保護膜で覆われており、樹脂フィルム４０Ａ，４０Ｂの接着層４２Ａ，４２Ｂと上記保護膜との接着性を確保するために、双方の界面に接着性を示す中間接着層８Ａ，９Ａが設けられている。
【００４２】
このような構成の表示部１００は所謂シート状（板状）であり、その厚みはおよそ５００μｍ未満であって、外部応力にある程度追随して表示面１１０ａを湾曲させることができる。
【００４３】
なお、表示部１００の構成は、これに限定されない。例えば、表示パネル１１０がトップエミッション構造の有機ＥＬ素子１１を有しているため、素子基板１０側から光を取り出す必要がない。したがって、素子基板１０側を覆う樹脂フィルム４０Ｂは透明性を有する必要はなく、ラミネートが可能な金属薄膜などの熱伝導体を備えた不透明な樹脂フィルムでもよい。熱伝導体により有機ＥＬ素子１１の発光に伴う発熱を放熱することが可能となる。
以降、このような表示パネル１１０を内包した表示部１００を総称して有機エレクトロルミネッセンスパネル（有機ＥＬパネル）と呼ぶこともある。
【００４４】
図４（ａ）に示すように、収納部１３５は、本体１３１の長手方向に沿った側面１３１ｂ（第２の面）に開口部１３５ａを有しており、開口部１３５ａからわずかに外側に飛び出た状態で、表示部１００が収納部１３５に収納される。
同じく、本体１３１の短手方向に沿った側面１３１ｅには、マウス接続端子１４３、ＵＳＢ接続端子１４４などの周辺機器の接続端子群や、メディア用の開口部１３８ａが設けられている。
本体１３１の底面１３１ｃには、中央よりやや下方側に設けられた凹部１３７ａに脱着可能に取り付けられた電源部１３７を有している。また、収納部１３５が開口する側面１３１ｂ側の長辺に沿ってその両端側に設けられた一対の凹部１４１ａ，１４１ｂにそれぞれ取り付けられた略矩形状の第１支持部１４１と、一対の凹部１４１ａ，１４１ｂ間に設けられた凹部１４２ａに取り付けられた四角形の第２支持部１４２とを有している。
【００４５】
第１支持部１４１および第２支持部１４２は、それぞれ底面１３１ｃの長辺に沿って軸支されており、軸周りに回動させることができる構造となっている。
【００４６】
図４（ｂ）に示すように、テーブルなどの上にノートＰＣ１０００を置いて用いるときには、一対の第１支持部１４１を回動させ、所定の位置で止めることで本体１３１を所定の角度で傾けることができる。すなわち、第１支持部１４１は本体１３１の一方の側を支える脚部となっている。
【００４７】
同じく、第２支持部１４２を回動させ、所定の位置で止めることで、収納部１３５から引き出された表示部１００を視認しやすい角度で固定して、背面側から支えることができる構造となっている。第２支持部１４２は、第１支持部１４１よりも面積的に大きく広い範囲で表示部１００を支えており、回動時の角度を変えることにより表示部１００の支持角度を調整可能としている。
【００４８】
このようなノートＰＣ１０００によれば、厚みが５００μｍ未満の薄いシート状の表示部１００を有し、表示部１００を使用しないときには、本体１３１の内部に設けられた収納部１３５に収納することができる。したがって、例えば、表示部として照明装置を有する液晶パネルをヒンジを介して本体１３１に取り付けて、入力部と向かい合わせにして折り畳む構造とした場合に比べて、小型で薄型のノートＰＣ１０００を提供することができる。
【００４９】
また、表示部１００が薄いシート状であっても、使用しないときには収納部１３５に収納できるため、落下等により外部から衝撃を受けても表示部１００の破損を防ぐことができる。
【００５０】
表示部１００の破損を防ぐ観点では、表示部１００が収納部１３５に埋没可能な状態で保持できる構造とし、前述した出し入れ機構を操作可能な例えばボタン等を本体１３１の側面１３１ｅなどに備える構成としてもよい。
【００５１】
以降、電子機器としてのパーソナルコンピューターの他の実施形態について、図を参照して説明する。
【００５２】
（第２実施形態）
図５（ａ）は第２実施形態の電子機器としてのパーソナルコンピューターを示す概略斜視図、同図（ｂ）は同図（ａ）の概略断面図である。なお、第１実施形態と同じ構成の部分は同じ符号を用いて示すことにより、重複した説明を省略する。
【００５３】
図５（ａ）に示すように、本実施形態のパーソナルコンピューターであるノートＰＣ１１００は、キーボード１３２やマウスパッド１３３などの入力部が上面１３１ａに設けられた筐体としての本体１３１と、シート状の第１の表示部としての表示部１００Ａと同じくシート状の第２の表示部としての表示部１００Ｂとを有する。すなわち、複数（２つの）の表示部を有する。
【００５４】
表示部１００Ａおよび表示部１００Ｂは、いずれも第１実施形態の表示部１００と同様な構成を備えた有機ＥＬパネルである。すなわち、表示パネルが樹脂フィルム４０Ａと樹脂フィルム４０Ｂとの間に挟まれてラミネートされた構造となっている。これらの表示部１００Ａ，１００Ｂは、平面的に同じ面積であって、図５（ｂ）に示すように、開口部１３５ａを経由してメインボード１３６の下層側に設けられた収納部１３５に重ねて収納される。また、中継基板と中継ケーブルとによりメインボード１３６とそれぞれ電気的に接続している。
【００５５】
このようなノートＰＣ１１００によれば、第１実施形態と同様に本体１３１の入力部の下層に設けられた収納部１３５に２つのシート状の表示部１００Ａ，１００Ｂ（複数の表示部）を収納して、小型で薄型のノートＰＣ１１００を提供することができる。
【００５６】
また、２つの表示部１００Ａ，１００Ｂにそれぞれ別な情報を表示させ、必要な情報が表示された方を収納部１３５から適宜引き出して確認することができる。さらには、同じ駆動方式を採用しているので、メインボード１３６における表示制御部を共用することができる。
２つの表示部１００Ａ，１００Ｂの表示は、機能キー１３２ａを操作することで、切り替え可能としてもよい。
【００５７】
２つの表示部１００Ａ，１００Ｂはそれぞれが薄いシート状であるため、収納部１３５をそれほど大きな空間としなくても、重ねて収納することができる。なお、２つの表示部１００Ａ，１００Ｂの大きさは同じである必要はなく、異ならせてもよい。例えば、一方を他方に比べて小さくしておき、節電モードでは、小さい方の表示部を使って表示させるとしてもよい。
【００５８】
（第３実施形態）
図６は第３実施形態の電子機器としてのパーソナルコンピューターを示す概略斜視図である。図６においても、第１実施形態と同じ構成の部分は同じ符号を用いて示すことにより、重複した説明を省略する。
【００５９】
図６に示すように、本実施形態のパーソナルコンピューターであるノートＰＣ１２００は、キーボード１３２やマウスパッド１３３などの入力部が上面１３１ａに設けられた筐体としての本体１３１と、シート状の第１の表示部としての表示部１００Ｃと同じくシート状の第２の表示部としての表示部１００Ｄとを有する。
【００６０】
２つの表示部１００Ｃ，１００Ｄは、ほぼ同じ大きさを有しており、互いに隣り合って配置されている。また、重なり合わないようにして収納部１３５に収納することができる。開口部１３５ａを経由して収納部１３５に収納された２つの表示部１００Ｃ，１００Ｄをそれぞれ独立して引き出して表示を確認することもできる。
【００６１】
一方の表示部１００Ｃは、第１実施形態の表示部１００に対してほぼ半分の大きさとなっているが、同様な構成を備える有機ＥＬパネルである。すなわち、表示部１００Ｃは、画素ごとに有機ＥＬ素子１１が設けられた表示パネルが樹脂フィルム４０Ａと樹脂フィルム４０Ｂとの間に挟まれてラミネートされた構造となっている。
他方の表示部１００Ｄは、表示部１００Ｃとは異なる表示方式が採用されており、白黒表示専用となっている。詳しくは、図７および図８を参照して説明する。
【００６２】
図７は他方の表示部を示す概略平面図、図８は図７のＣ−Ｃ'線で切った他方の表示部の構造を示す概略断面図である。
【００６３】
図７に示すように、他方の表示部１００Ｄは、白黒表示が可能な画素５５がマトリクス状に配置された表示領域８０ａを有する表示パネル８０を内包するものである。表示パネル８０の端子部５０ａには、２つの中継基板９０Ａ，９０Ｂが表面実装されている。これらの中継基板９０Ａ，９０Ｂは、例えばフレキシブル回路基板（ＦＰＣ）であって、他の実施形態と同様に、その表面に表示パネル８０を駆動する駆動回路の一部を構成する例えばドライバーＩＣなどの電子部品を実装したものも採用することができる。
【００６４】
図８に示すように、表示部１００Ｄは、表示パネル８０が樹脂フィルム４０Ａと樹脂フィルム４０Ｂとの間に挟まれてラミネートされた構造となっている。表示パネル８０は、電気泳動層７７を備えた反射型の電気泳動パネルである。
【００６５】
表示パネル８０は、素子基板５０と対向基板６０との間に電気泳動層７７が挟持された構造となっている。
【００６６】
素子基板５０は、例えばガラスやプラスチック等からなる透明な基板であり、画素５５ごとに設けられた画素電極５６と画素電極５６をスイッチング制御する薄膜トランジスター５７とを有する。
【００６７】
対向基板６０は、例えばガラスやプラスチック等からなる透明な基板であり、素子基板５０の複数の画素電極５６と対向する対向電極６１がほぼ全面（ベタ状）に形成されている。対向電極６１は、ＩＴＯ等の透明導電材料から形成されている。
【００６８】
電気泳動層７７は、複数のマイクロカプセル７０と、複数のマイクロカプセル７０を保持するバインダー７６とを有している。なお、表示パネル８０は、電気泳動層７７が予め対向基板６０側に固定されてなる電気泳動シートと、画素電極５６などが形成された素子基板５０とを、シール材３０により接着することによって形成されている。また、図示省略したが、素子基板５０の電気泳動層７７に面する側の表面にも電気泳動層７７を固定するための接着層を有するものである。
【００６９】
マイクロカプセル７０は、対向配置された画素電極５６と対向電極６１との間に挟持され、１つの画素５５内に（言い換えれば、１つの画素電極５６に対して）１つ又は複数配置されている。
【００７０】
図８の左下の拡大図に示すように、マイクロカプセル７０は、被膜７５の内部に分散媒７１と、複数の白色粒子７２と、複数の黒色粒子７３とを封入した構成となっている。マイクロカプセル７０は、例えば、およそ５０μｍ程度の粒径を有する球状に形成されている。
被膜７５は、アクリル樹脂、ユリア樹脂、アラビアゴム、ゼラチン等の透光性を有する高分子樹脂から形成されている。
分散媒７１は、白色粒子７２及び黒色粒子７３をマイクロカプセル７０内（言い換えれば、被膜７５内）に分散させる媒質である。
【００７１】
白色粒子７２は、例えば、二酸化チタン、亜鉛華（酸化亜鉛）、三酸化アンチモン等の白色顔料からなる粒子（高分子或いはコロイド）であり、例えば負に帯電されている。
黒色粒子７３は、例えば、アニリンブラック、カーボンブラック等の黒色顔料からなる粒子（高分子或いはコロイド）であり、例えば正に帯電されている。
白色粒子７２および黒色粒子７３は、画素電極５６と対向電極６１との間に発生する電場（電位差）によって分散媒７１中を移動するため、対向電極６１側に集まった粒子の色調によって、画素５５の表示色が左右されることになる。すなわち、該電位差によって白表示と黒表示とのいずれかを行うことができる。
さらには、該電位差を保持させれば、白または黒の表示状態を維持することができる。すなわち、表示のために常に電力を必要とする自発光型に比べて省電力な表示パネルである。
【００７２】
このようなノートＰＣ１２００によれば、カラー表示が可能な表示部１００Ｃと白黒表示が可能な表示部１００Ｄとを備え、例えば色識別を重要視する画像情報などは表示部１００Ｃに表示させ、白黒表示で十分認識可能な文字情報などは表示部１００Ｄに表示させる。そして、表示部１００Ｃと表示部１００Ｄとを並べて表示させたり、一方だけを引き出して表示させたり、といった使い方が可能な小型で薄型の情報処理装置（コンピューター）を提供できる。
【００７３】
また、表示部１００Ｃが自発光型であるのに対して、表示部１００Ｄは受光型であり、且つ少ない消費電力で表示を行えるため、節電モードのときには、表示部１００Ｄだけを使うといった使い方も可能である。
【００７４】
なお、本実施形態では、マイクロカプセル７０中に白色粒子７２と黒色粒子７３とを分散させたが、分散させる粒子の顔料を、例えば赤色、緑色、青色等の顔料に代えることによって、赤色、緑色、青色などのカラー表示をすることもできる。
また、上述したマイクロカプセル方式に限定するものではなく、帯電性を有する電子粉流体を画素５５内に入れ、プラス・マイナス（極性）を切り替えることで表示のＯＮ−ＯＦＦを制御する電子粉流体方式の電気泳動パネルであっても良い。または、コレステリック液晶を用いた電気泳動パネルであっても良い。
【００７５】
（第４実施形態）
図９（ａ）は第４実施形態の電子機器としてのパーソナルコンピューターを示す概略斜視図、同図（ｂ）は概略断面図である。図９においても、第１実施形態と同じ構成の部分は同じ符号を用いて示すことにより、重複した説明を省略する。
【００７６】
図９（ａ）および（ｂ）に示すように、本実施形態のパーソナルコンピューターであるノートＰＣ１３００は、キーボード１３２やマウスパッド１３３などの入力部が上面１３１ａに設けられた筐体としての本体１３１と、シート状で可撓性を有する表示部１００Ｅとを備えている。
【００７７】
表示部１００Ｅは、第１実施形態の表示部１００に対してほぼ倍の面積の表示領域１００Ｅａを有するものであって、画素ごとに設けられた有機ＥＬ素子１１を有する表示パネルが樹脂フィルム４０Ａと樹脂フィルム４０Ｂとの間に挟まれてラミネートされた構造となっている。特に、素子基板１０および封止基板２０を構成する基材は、ガラス基板を薄型化したものではなく、可撓性と優れた屈曲性とを兼ね備えた樹脂基板（樹脂フィルム）が用いられている。
【００７８】
それゆえに、第１実施形態に比べてほぼ倍の面積の表示領域１００Ｅａを有するにも係わらず、表示領域１００Ｅａのほぼ中央を横断する仮想線Ｌ0を軸として、表示部１００Ｅをほぼ半分の平面積となるように表示領域１００Ｅａ（表示面１１０Ｅａ）を内側にして折り畳むことができる。また、折り畳んだ状態で、開口部１３５ａを経由して本体１３１の内部に設けられた収納部１３５に収納することができるようになっている。
【００７９】
表示部１００Ｅは、一方の端に設けられた中継基板１２０Ａとこれに接続された中継ケーブル１２１を介してメインボード１３６に電気的に接続され駆動される。
【００８０】
このようなノートＰＣ１３００によれば、本体１３１の入力部が設けられた上面１３１ａの面積に対して、倍近い面積の表示部１００Ｅを備えているにも係わらず、これを折り畳んで収納部１３５に収納できる小型な情報処理装置（コンピューター）を提供することができる。
【００８１】
（第５実施形態）
図１０は第５実施形態の電子機器としてのパーソナルコンピューターを示す概略斜視図である。図１０においても、第１実施形態と同じ構成の部分は同じ符号を用いて示すことにより、重複した説明を省略する。
【００８２】
図１０に示すように、本実施形態のパーソナルコンピューターであるノートＰＣ１４００は、キーボード１３２やマウスパッド１３３などの入力部が上面１３１ａに設けられた筐体としての本体１３１と、シート状で可撓性を有する表示部１００Ｆとを備えている。
【００８３】
表示部１００Ｆは、第１実施形態の表示部１００に対して横長の表示領域１００Ｆａを有するものであって、画素ごとに設けられた有機ＥＬ素子１１を有する表示パネルが樹脂フィルム４０Ａと樹脂フィルム４０Ｂとの間に挟まれてラミネートされた構造となっている。特に、素子基板１０および封止基板２０を構成する基材は、ガラス基板を薄型化したものではなく、可撓性と優れた屈曲性とを兼ね備えた樹脂基板が用いられている。
【００８４】
それゆえに、第１実施形態に比べて横長の表示領域１００Ｆａを有するにも係わらず、本体１３１の長手方向においてはみ出た表示領域１００Ｆｂと表示領域１００Ｆｃとを、表示部１００Ｆの短手方向に平行な仮想線Ｌ1と仮想線Ｌ2とを軸として、それぞれ内側に折り畳むことができる。また、折り畳んだ状態で、開口部１３５ａを経由して本体１３１の入力部の下層側に設けられた収納部１３５に収納することができるようになっている。
【００８５】
このようなノートＰＣ１４００によれば、本体１３１の入力部が設けられた上面１３１ａの形状に対して、横長の表示部１００Ｆを備えているにも係わらず、これを折り畳んで収納部１３５に収納できる小型な情報処理装置（コンピューター）を提供することができる。また、横長の表示部１００Ｆを備えているので、所謂縦横比が１６：９で構成される映画などの動画情報を縦横に圧縮することなく、表示することができる小型な情報処理装置（コンピューター）を提供できる。
【００８６】
（第６実施形態）
図１１（ａ）は第６実施形態の電子機器としてのパーソナルコンピューターを示す概略斜視図、同図（ｂ）は折り畳まれた状態のパーソナルコンピューターを示す概略斜視図、同図（ｃ）は同図（ｂ）のＤ−Ｄ'線で切った概略断面図である。
【００８７】
図１１（ａ）に示すように、本実施形態の電子機器としてのパーソナルコンピューターであるノートＰＣ１５００は、キーボード１５２０やマウスパッド１５３０などの入力部が第１の面としての上面１５１０ａに設けられた筐体としての本体１５１０と、シート状で可撓性を有する表示部１５７０とを備えている。
【００８８】
表示部１５７０は、第１実施形態の表示部１００と同様な構成を有するものであって、画素ごとに設けられた有機ＥＬ素子１１を有する表示パネルが樹脂フィルム４０Ａと樹脂フィルム４０Ｂとの間に挟まれてラミネートされた構造となっている。該表示パネルを構成する素子基板１０および封止基板２０を構成する基材は、薄型化したガラス基板や、可撓性と優れた屈曲性とを兼ね備えた樹脂基板の両方を用いることができる。
【００８９】
本体１５１０は、入力部の下層側（内部）にシート状の表示部１５７０が開口部１５５０ａを経由して収納される収納部１５５０を備えている。また、入力部が設けられた上面１５１０ａ側が複数（２つ）に分割されており、実質的に第１本体部１５１０Ｈ1と第２本体部１５１０Ｈ2とに区分されている。
【００９０】
複数の入力キーからなるキーボード１５２０は、第１本体部１５１０Ｈ1側（キーボード１５２０ａ）と第２本体部１５１０Ｈ2（キーボード１５２０ｂ）とに分かれてそれぞれの上面１５１０ａに設けられている。マウスパッド１５３０は、第２本体部１５１０Ｈ2側に設けられている。第２本体部１５１０Ｈ2側の手前側面に電源スイッチ１５４０が設けられている。
【００９１】
第１本体部１５１０Ｈ1と第２本体部１５１０Ｈ2とは、折り畳み機構１５６０を介して繋がった状態に構成されており、図１１（ｂ）に示すように、本体１５１０を折り畳み機構１５６０を中心にして上面１５１０ａが内側となり二つに折り畳むことができる。折り畳み機構１５６０は、例えば、伸縮性を有する樹脂材料からなり、蛇腹構造（図示省略）となっている。
【００９２】
また、図１１（ｃ）に示すように、収納部１５５０は、本体１５１０において第１本体部１５１０Ｈ1、第２本体部１５１０Ｈ2、折り畳み機構１５６０の３つに跨って設けられている。折り畳み機構１５６０は、表示部１５７０に不具合を生じさせない所定の曲率以上の曲率で収納部１５５０が曲がるように第１本体部１５１０Ｈ1と第２本体部１５１０Ｈ2との間に設けられている。
【００９３】
前述したように、素子基板１０と封止基板２０の基材を薄型化したガラス基板を用いた場合には、上記所定の曲率（曲げ半径をＲとして定義）を、最小でおよそＲ＝４ｍｍ程度に設定することができる。
【００９４】
このようなノートＰＣ１５００によれば、可撓性を有するシート状の表示部１５７０と、本体１５１０を２つに折り畳む折り畳み機構１５６０とを備えている。折り畳み機構１５６０は本体１５１０に設けられた収納部１５５０を上記所定の曲率以上の曲率で曲げるように設けられている。したがって、シート状の表示部１５７０を破損させないのはもちろんのこと不具合を生じさせることなく、折り畳まれた収納部１５５０に沿って収納することができる小型な情報処理装置（コンピューター）を提供できる。
【００９５】
なお、素子基板１０および封止基板２０を構成する基材を、薄型化したガラス基板でなく、可撓性と優れた屈曲性とを兼ね備えた樹脂基板（樹脂フィルム）とすれば、さらに上記所定の曲率を小さくすることができる。したがって、本体１５１０を２つ以上に分けて折り畳む構造とすることも可能である。
【００９６】
（第７実施形態）
図１２は、第７実施形態の電子機器としてのパーソナルコンピューターを示す概略斜視図である。とりわけ、折り畳んだ状態を示す概略斜視図である。
【００９７】
図１２に示すように、本実施形態のパーソナルコンピューターであるノートＰＣ１６００は、基本的に第６実施形態のノートＰＣ１５００と同様な構成を有するものである。すなわち、折り畳み機構１５６０を備えた本体１５１０と、本体１５１０の収納部１５５０に収納される可撓性を有するシート状の表示部１５７０とを備えている。
【００９８】
また、折り畳み機構１５６０によって本体１５１０を２つに折り畳んだときに、第１本体部１５１０Ｈ1の表層となる面１５１１（第３の面）に開口部１５１２を有している。開口部１５１２は、第１本体部１５１０Ｈ1の収納部１５５０に到達する深さで設けられている。したがって、表示部１５７０の表示パネルにおいて、透明な基材を用いて素子基板１０を構成し、有機ＥＬ素子１１からの発光を素子基板１０側からも射出させれば、本体１５１０を折り畳んだ状態でも、開口部１５１２から表示部１５７０を視認することができる。
【００９９】
図１２では図示していないが、電源部やメディア部は、第２本体部１５１０Ｈ2側に設ければよい。
【０１００】
このようなノートＰＣ１６００によれば、本体１５１０を二つに折り畳んだ状態でも、開口部１５１２から表示部１５７０に表示された情報を確認することができる小型な情報処理装置（コンピューター）を提供できる。
【０１０１】
なお、第１本体部１５１０Ｈ1側に設けられた開口部１５１２は、表層である面１５１１の大きさ（面積）に近い状態で開口させることに限定されず、表示部１５７０の少なくとも一部を確認できる大きさ（開口）としてもよい。例えば、メールなどの着信情報を表示部１５７０の一部に表示させ、知らせるといった使い方を提案できる。
また、開口部１５１２は、第１本体部１５１０Ｈ1側に設けることに限定されず、第２本体部１５１０Ｈ2の表層側あるいは両方に設けてもよい。
【０１０２】
上記実施形態以外にも様々な変形例が考えられる。以下、変形例を挙げて説明する。
【０１０３】
（変形例１）上記第１〜第３実施形態において、カラー表示が可能な表示部の構成は、有機ＥＬ素子１１を有する自発光型のディスプレイに限定されない。図１３は変形例の表示部を示す概略平面図、図１４は図１３のＥ−Ｅ'線で切った概略断面図である。図１４において、第１実施形態と同じ構成の部分は同じ符号を用いて示すことにより、重複した説明を省略する。
例えば、図１３に示すように、変形例の表示部２００は、Ｒ（赤）、Ｇ（緑）、Ｂ（青）、３色に対応した画素１５５がストライプ状に配列した表示領域１５０ａを有する表示パネル１５０を内包している。
表示パネル１５０の端子部１５１ａには、表示パネル１５０を駆動制御する表示制御部（メインボード１３６に設けられている）との電気的な接続を図るべく、複数（３つ）の中継基板１６０Ａ，１６０Ｂ，１６０Ｃが実装されている。中継基板１６０Ａ，１６０Ｂ，１６０Ｃは、例えばフレキシブル回路基板（ＦＰＣ）であって、その表面に表示パネル１５０を駆動する駆動回路の一部を構成する例えばドライバーＩＣなどの電子部品を実装したものも採用することができる。
【０１０４】
図１４に示すように、表示部２００は、表示パネル１５０が樹脂フィルム４０Ａと樹脂フィルム４０Ｂとの間に挟まれてラミネートされた構造となっている。
また、平面的には第１実施形態の表示部１００と同様な構成を有しているも、表示パネル１５０が受光型であって、表示パネル１５０の背面側（直下）には、これを照明する照明装置１９０（バックライト；Ｂ／Ｌ）が備えられている。
【０１０５】
表示パネル１５０は、例えば液晶パネルであって、一対の基板としての素子基板１５１および対向基板１７１と、シール材１８５を介して接合された素子基板１５１と対向基板１７１との隙間に挟持された液晶層１８０とを備えている。
素子基板１５１の液晶層１８０側には、画素１５５ごとに設けられた画素電極１５２と、画素電極１５２をスイッチング制御する薄膜トランジスター１５３と、複数の画素電極１５２を覆う配向膜１５６とが設けられている。
【０１０６】
対向基板１７１の液晶層１８０側には、画素１５５ごとに設けられた着色層を有するカラーフィルター１７２とカラーフィルター１７２上に設けられた共通電極１７３と、共通電極１７３を覆う配向膜１７４とが設けられている。
【０１０７】
液晶層１８０と反対側の対向基板１７１の表面には、上偏光板１７５が貼り付けられている。同じく、液晶層１８０と反対側の素子基板１５１の表面には、下偏光板１５７が貼り付けられている。
【０１０８】
このような表示パネル１５０の光学設計条件としては、非駆動時に黒表示となるノーマリーブラックモードが採用されている。したがって、表示パネル１５０が非駆動時には、照明装置１９０の照明光は表示パネル１５０を透過することができない。なお、これに限らず、非駆動時に白表示となるノーマリーホワイトモードの光学設計条件としてもよい。
【０１０９】
照明装置１９０は、実装基板１９２と実装基板１９２上にほぼ均等に配置され実装された複数の光源１９１とを有する。光源１９１は点光源に近い例えばＬＥＤや有機ＥＬ素子などの発光素子である。照明装置１９０は、素子基板１５１側において表示パネル１５０の直下に配置され、少なくとも表示領域１５０ａに亘ってほぼ均一に照明可能な状態となっている。
【０１１０】
光源１９１が実装された実装基板１９２の一方の端部には、接続端子（図示省略）が設けられており、中継基板１６１Ａの一方の端部が電気的に接続されている。中継基板１６１Ａの他方の端部は、素子基板１５１の端子部１５１ａに実装された中継基板１６０Ａの一方の表面に電気的に接続されている。電気的な接続方法は、例えば半田付けによるものである。
【０１１１】
表示パネル１５０は、素子基板１５１と対向基板１７１とを接合して、その隙間に液晶を封入した後に、機械的または化学的な研磨を施して薄型化されている。この場合も第１実施形態の表示パネル１１０と同様に、それぞれの基板の元の厚みはおよそ０．５ｍｍ程度であって、表示パネル１５０の厚みがおよそ３００μｍ以下となるように研磨加工されている。研磨加工後に上偏光板１７５と下偏光板１５７とが貼り付けられている。
【０１１２】
照明装置１９０における実装基板１９２は、リジットな回路基板であってもフレキシブルな回路基板であってもよいが、やはり１００μｍ以下の薄い回路基板が好ましい。
【０１１３】
このような表示パネル１５０と照明装置１９０の積層体を接着層４２Ａ，４２Ｂとが相対するように樹脂フィルム４０Ａ，４０Ｂでラミネートして得られたシート状の表示部２００は、やはり外部応力に対してある程度湾曲可能な可撓性を有している。
【０１１４】
（変形例２）上記第４〜第７実施形態において、収納部１３５（収納部１５５０）に収納される表示部１００Ｅ（表示部１００Ｆ、表示部１５７０）は、１つに限定されない。例えば、第２実施形態または第３実施形態のように、同一の駆動方式あるいは異なる駆動方式の複数の表示部を収納するとしてもよい。第２実施形態または第３実施形態の効果をさらに実現することができる小型な情報処理装置を提供することができる。
【０１１５】
（変形例３）上記第１〜第５実施形態を適用可能な電子機器は、パーソナルコンピューターに限定されない。図１５は変形例の電子機器としての携帯型電話機を示す概略斜視図である。例えば、図１５に示すように、電子機器としての携帯型電話機２０００は、上面に操作ボタン２１１０や入力ボタン２１２０などの入力部やスピーカー２１３０およびマイク２１４０を備えた筐体としての本体２１００と、複数の画素が配列した表示領域２２００ａを有するシート状の表示部２２００とを備えている。
シート状の表示部２２００は、第１実施形態の表示部１００と同様な構成を有している。すなわち、画素ごとに設けられた有機ＥＬ素子１１を有する表示パネルが樹脂フィルム４０Ａ，４０Ｂでラミネートされた構造となっている。
また、本体２１００の内部において上面と重なる位置に設けられた収納部２１５０に表示部２２００が収納される構造となっている。言い換えれば、シート状の表示部２２００は、収納部２１５０に収納可能であれば、必ずしも可撓性を有するものでなくてもよい。
このような携帯型電話機２０００によれば、シート状の表示部２２００が収納部２１５０に収納され小型で薄型な携帯型電話機２０００を提供することができる。表示部２２００を収納部２１５０に収納することによって、落下などで表示部２２００が直接損傷して故障することを防ぐことができる。
この他にも適用可能な電子機器としては、例えばＰＯＳ端末、ＤＶＤビューワー、電子手帳などの表示部を有する携帯型情報端末が挙げられる。言い換えれば、入力部はキーボードに限定されず、携帯型情報端末を操作するために必要な操作ボタンなどを備えたものであればよい。
【符号の説明】
【０１１６】
１００…シート状の表示部、１００Ａ，１００Ｃ…第１の表示部としての表示部、１００Ｂ，１００Ｄ…第２の表示部としての表示部、１００Ｅ，１００Ｆ…シート状の可撓性を有する表示部、１３１…筐体としての本体、１３２…キーボード、１３５…収納部、１３５ａ…開口部、１０００，１１００，１２００，１３００，１４００，１５００，１６００…電子機器としてのパーソナルコンピューターまたはノートＰＣ、１５１０…本体、１５１２…開口部、１５２０…キーボード、１５５０…収納部、１５５０ａ…開口部、１５６０…折り畳み機構、１５７０…表示部、２０００…電子機器としての携帯型電話機、２１００…本体、２１５０…収納部、２２００…シート状の表示部。
【図１】
2011018097.tif 000003
【図２】
2011018097.tif 000004
【図３】
2011018097.tif 000005
【図４】
2011018097.tif 000006
【図５】
2011018097.tif 000007
【図６】
2011018097.tif 000008
【図７】
2011018097.tif 000009
【図８】
2011018097.tif 000010
【図９】
2011018097.tif 000011
【図１０】
2011018097.tif 000012
【図１１】
2011018097.tif 000013
【図１２】
2011018097.tif 000014
【図１３】
2011018097.tif 000015
【図１４】
2011018097.tif 000016
【図１５】
2011018097.tif 000017